(57)【特許請求の範囲】
【請求項１】
マトリクス状に配置した複数本数ずつの陽極線及び陰極線の各交点に発光素子が形成され、前記陽極線及び陰極線の一方を走査線とすると共に他方を信号線とし、走査線を所定周期で走査することにより所望の信号線の交点位置に形成された発光素子を所定の駆動デューティ比で発光させるようにした単純マトリクス型表示装置の駆動方法において、
前記走査線の１走査周期において駆動対象の発光素子が存在しない走査線がある場合に、当該発光素子が存在しない走査線についての走査を禁止すると共に、これ以外の走査線の走査期間を、当該走査線上に存在する駆動対象発光素子の最大階調レベルに比例した期間となるように制御し、
前記単純マトリクス型表示装置により複数のフレーム画像から成る動画像を表示する場合に、全部のフレーム画像または連続した所定数のフレーム画像について最大階調レベルに対応する発光素子についての高輝度化倍率を求めると共に、各フレーム画像において最小となる高輝度化倍率を求めてこれを動画像の高輝度倍率として設定し、表示対象となる動画像データについて、上記設定高輝度倍率となるように各フレーム画像の走査線走査期間と階調レベルとを計算し、その計算結果に基づいて動画像データの表示制御を行うことによりその走査に応じて発光する発光素子の高輝度化を図る制御を行うことを特徴とする単純マトリクス型表示装置の駆動方法。
【請求項２】
マトリクス状に配置した複数本数ずつの陽極線及び陰極線の各交点に発光素子が形成され、前記陽極線及び陰極線の一方を走査線とすると共に他方を信号線とした単純マトリクス型表示装置のための駆動装置であって、走査線を所定周期で走査することにより所望の信号線の交点位置に形成された発光素子を所定の駆動デューティ比で発光させる制御手段を備えた駆動装置において、
前記制御手段は、前記走査線の１走査周期において駆動対象の発光素子が存在しない走査線がある場合に、当該発光素子が存在しない走査線についての走査を禁止すると共に、これ以外の走査線の走査期間を、当該走査線上に存在する駆動対象発光素子の最大階調レベルに比例した期間となるように制御し、
前記制御手段は、前記単純マトリクス型表示装置により複数のフレーム画像から成る動画像を表示する場合に、全部のフレーム画像または連続した所定数のフレーム画像について最大階調レベルに対応する発光素子についての高輝度化倍率を求めると共に、各フレーム画像において最小となる高輝度化倍率を求めてこれを動画像の高輝度倍率として設定し、表示対象となる動画像データについて、上記設定高輝度倍率となるように各フレーム画像の走査線走査期間と階調レベルとを計算し、その計算結果に基づいて動画像データの表示制御を行うことによりその走査に応じて発光する発光素子の高輝度化を図る制御を行うことを特徴とする単純マトリクス型表示装置の駆動装置。
【発明の詳細な説明】
【技術分野】
【０００１】
本発明は、マトリクス状に配置した複数本数ずつの陽極線及び陰極線の各交点に発光素子が形成された自己発光タイプの単純マトリクス型表示装置の駆動方法及び駆動装置並びに単純マトリクス型表示装置を利用した表示システムに関する。
【背景技術】
【０００２】
図８には、単純マトリクス型表示装置の駆動方法の一例として特許文献１に見られるような方法が示されている。この図８は、マトリクス状配置された陽極線Ａ１〜ＡN と陰極線Ｂ１〜ＢM との交点位置に発光素子（画素）が形成された有機ＥＬ表示装置を駆動対象とした例である。この場合、陽極線Ａ１〜ＡN 及び陰極線Ｂ１〜ＢM の何れか一方（図８の例では陰極線Ｂ１〜ＢM ）を一定の時間間隔で順次選択して走査すると共に、この走査周期に同期して他方（図８の例では陽極線Ａ１〜ＡN ）を駆動源である電流源１-1〜１-Nからの出力によりドライブし、これにより所望の交点位置の発光素子を発光させる方式となっている。
【０００３】
陰極線Ｂ１〜ＢM には、その順次走査を行うために、電源電圧（＋Ｖcc）または基準電位であるアース電位（０Ｖ）を選択するための走査スイッチ２-1〜２-Mが接続されている。これらの走査スイッチ２-1〜２-Mを、電源端子側からアース端子側へ一定周期で順次切り替えながら走査していくことにより、陰極線Ｂ１〜ＢM に対しアース電位（０Ｖ）を順次与えていく。一方、陽極線Ａ１〜ＡN には、電源端子から給電される電流源１-1〜１-Nまたはアース電位（０Ｖ）を選択するための駆動スイッチ３-1〜３-Nが接続されている。これらの駆動スイッチ３-1〜３-Nを、走査スイッチ２-1〜２-Mの走査周期に同期して選択的にオンオフ制御することにより、オンされた駆動スイッチに対応した陽極線Ａ１〜ＡN を電流源１-1〜１-Nに接続する。これにより、所望の交点位置の発光素子に駆動電流を供給する。
【０００４】
例えば、発光素子Ｅ1,1 、Ｅ1,2 を発光させる場合には、図８に示すように、走査スイッチ２-1のみをアース端子側に切り替えて陰極線Ｂ１がアース電位となるように走査すると共に、駆動スイッチ３-1、３-2を電流源側に切り替えて陽極線Ａ2 、Ａ3 を電流源１-1、１-2にそれぞれ接続する。すると、図中矢印で示すように、発光素子Ｅ1,1 、Ｅ1,2 のみに駆動電流が供給されて発光するようになる。このような走査及び駆動動作を高速で繰り返すことにより、人間の目には残像現象により発光素子Ｅ1,1 とＥ1,2 とが同時に発光しているように認識させることができる。尚、非選択の陰極線Ｂ2 〜ＢM には電源電圧と同電位の逆バイアス電圧（＋Ｖcc）を印加することで、それら陰極線Ｂ2 〜ＢM に対応する発光素子の誤発光を防止している。そして、このような走査及び駆動制御を、走査スイッチ２-1〜２-N及び駆動スイッチ３-1〜３-Mについて選択的に行うことにより、任意の位置の発光素子を同様に発光させることができる。
【特許文献１】特開平９−２３２０７４号公報
【発明の開示】
【発明が解決しようとする課題】
【０００５】
有機ＥＬ表示装置において、波頭の煌きや宝石の輝きなどを表示する場合には、背景に対して表示画面の一部のみが極端に明るくなる状態、つまり発光輝度についてのダイナミックレンジが広い状態の表示が求められる。しかしながら、図８で説明したような従来の駆動方法においては、表示画面の一部のみを高輝度で発光させる場合でも、その発光輝度に応じた高いレベルの電流を供給する必要が出てくるため、電流源１-1〜１-N、走査線側ドライバ（走査スイッチ２-1〜２-M）、信号線側ドライバ（駆動スイッチ３-1〜３-N）による電源供給能力を高めた上で、与えられた画像データに応じて、煌きや輝きに対応した発光素子を高輝度でドライブすることになる。このため、従来の方法では、
・駆動に必要な回路部品のコストアップを招く、
・高輝度ドライブされる発光素子に大きな瞬間発光輝度が必要であって、その経年劣化が大きくなるため、発光素子の輝度低下が促進されてしまう、
・高輝度表示時においても表示品位の低下を抑制するために、高い逆バイアス電圧を印加する必要があり、発光素子の破壊を招く恐れが出てくる、
などの問題点があった。
【０００６】
本発明は上記事情に鑑みてなされたものであり、部分的な高輝度発光表示を、瞬間発光輝度及び印加電流を上げることなく実現できるようになる単純マトリクス型表示装置の駆動方法及び駆動装置並びに単純マトリクス型表示装置を利用した表示システムを提供することにある。
【課題を解決するための手段】
【０００７】
請求項１に記載したマトリクス型表示装置の駆動方法においては、複数本ずつの陽極線及び陰極線の一方が走査線とされ、且つ他方が信号線とされるものであり、走査線を周期的に走査しながら所望の信号線に電流信号を与えることにより、それら走査線及び信号線の交点に形成された発光素子を発光させる。この場合、一部の走査線の走査期間を相対的に引き延ばすことにより、その走査に応じて発光する発光素子の高輝度化を図る制御が行われる。つまり、一部の走査線について、その駆動デューティ比が大きくなる制御が行われるものであり、これにより瞬間発光輝度及び印加電流を上げることなく駆動対象の発光素子の高輝度化を実現できるようになる。
また、走査線の１走査周期において駆動対象の発光素子が存在しない走査線がある場合に、当該発光素子が存在しない走査線についての走査が禁止されると共に、これ以外の走査線の走査期間が、当該走査線上に存在する駆動対象発光素子の最大階調レベルに比例した期間となるように制御される。このため、駆動対象の発光素子が存在する走査線については、その走査期間が、駆動対象発光素子の最大階調レベルに比例して引き延ばされるように制御されるため、瞬間発光輝度及び印加電流を上げることなく駆動対象の発光素子の高輝度化を実現できるようになる。
また、動画像を構成する各フレーム画像間で輝度がばらつくといった事態を未然に防止できるようになる。
【００１３】
請求項２に記載したマトリクス型表示装置の駆動装置によれば、制御手段は、走査線を周期的に走査しながら所望の信号線に電流信号を与えることにより、それら走査線及び信号線の交点に形成された発光素子を発光させる制御を行う。この場合、制御手段は、一部の走査線の走査期間を相対的に引き延ばすことにより、その走査に応じて発光する発光素子の高輝度化を図る制御を行う。つまり、一部の走査線について、その駆動デューティ比が大きくなる制御が行われるものであり、これにより瞬間発光輝度及び印加電流を上げることなく駆動対象の発光素子の高輝度化を実現できるようになる。
また、制御手段は、走査線の１走査周期において駆動対象の発光素子が存在しない走査線がある場合に、当該発光素子が存在しない走査線についての走査を禁止すると共に、これ以外の走査線の走査期間を、当該走査線上に存在する駆動対象発光素子の最大階調レベルに比例した期間となるように制御する。このため、駆動対象の発光素子が存在する走査線については、その走査期間が、駆動対象発光素子の最大階調レベルに比例して引き延ばされるように制御されるため、瞬間発光輝度及び印加電流を上げることなく駆動対象の発光素子の高輝度化を実現できるようになる。
また、動画像を構成する各フレーム画像間で輝度がばらつくといった事態を未然に防止できるようになる。
【発明を実施するための最良の形態】
【００２０】
（第１の実施の形態）
以下、本発明の第１実施例について図１及び図２を参照しながら説明する。
図１には全体の電気的構成が機能ブロックの組み合わせにより示されている。この図１において、有機ＥＬパネル１１（単純マトリクス型表示装置に相当）は、駆動回路１２、制御回路１３（制御手段に相当）及びこれらの電源回路１４と共にモジュール化されている。具体的に図示しないが、この有機ＥＬパネル１１は図８に示した有機ＥＬ表示装置と同様構成のもので、マトリクス状に配置した複数本数ずつ（例えばＭ×Ｎ本：Ｍ、Ｎは２以上の整数）の陽極線及び陰極線の各交点に発光素子が形成され、その陽極線及び陰極線の一方（例えば陰極線）が走査線とされ且つ他方（例えば陽極線）が信号線とされている。このような有機ＥＬパネル１１の駆動時には、Ｍ本の走査線を駆動回路１２内のロウドライバ１２ａにより周期的に走査しながら、Ｎ本の信号線のうち所望の信号線に駆動回路１２内のカラムドライバ１２ｂから電流信号を与えてそれら走査線及び信号線の交点位置に形成された発光素子を発光させることになる。
【００２１】
制御回路１３は、画像データ受信部１３ａ、画像メモリ１３ｂ、走査デューティ計算部１３ｃ、駆動データ生成部１３ｄを含んで構成されている。画像データ受信部１３ａは、外部装置（画像処理回路など）から送られてきた画像データを受信し、画像メモリ１３ｂに格納する。尚、上記画像データは、有機ＥＬパネル１１に対応したＭ行×Ｎ列分のデータであり、この実施例では２値画像のためのオン／オフ階調のデータである。
【００２２】
走査デューティ計算部１３ｃは、画像メモリ１３ｂに格納された画像データを読み出し、１走査周期分（１フレーム分）の画像データにおけるＭ本の走査線毎に、
〈１〉  走査線上の発光素子の何れか１個以上がオン（発光）されるか、
〈２〉  走査線上の発光素子はすべてオフ（非発光）であるか、
のいずれであるかを判定し、〈１〉と判定した走査線の数ｍ（≦Ｍ）を求める。
【００２３】
駆動データ生成部１３ｄは、上記〈１〉と判定した走査線のみに対応する画像データ（ｍ行×Ｎ列分、オン／オフ階調）を画像メモリ１３ｂから読み出し、その画像データに基づいて駆動回路１２に与える駆動データを生成する。このデータ生成時において、駆動データ生成部１３ｄは、走査線の駆動デューティ比、走査期間を以下に示すような計算により求める。
【００２４】
ａ．走査線の駆動デューティ比は、走査デューティ計算部１３ｃが判定した前記走査線数ｍに基づいて、１／ｍとする。
ｂ．走査線の駆動デューティ比が１／Ｍの状態（全部の走査線を走査する状態：従来と同じ駆動方法）での各走査線の走査期間をＴ［秒］とすると、駆動デューティ比が１／ｍのときの各走査線の走査期間Ｔ′は、Ｔ×（Ｍ／ｍ）[秒]とする。尚、Ｍ≧ｍであるから、Ｔ′≧Ｔとなる。
【００２５】
このように求めた駆動デューティ比及び走査期間にて、走査線を従来の駆動方法と同じレベルの印加電流で走査したときの瞬間発光輝度をＬ［cd／ｍ2］とした場合、有機ＥＬパネル１１でのディスプレイ面輝度Ｌa′は、Ｌ／ｍ［cd／ｍ2］となる。これに対して、従来の駆動方法によるディスプレイ面輝度ＬaはＬ／Ｍ［cd／ｍ2］であり、この場合、Ｍ≧ｍの関係があるから、
Ｌa′≧Ｌaの関係が成立し、従来に比べて高輝度化できることになる。例えば、有機ＥＬパネル１１の走査線数が６４本（Ｍ＝６４）で、走査時の瞬間発光輝度Ｌ＝６４００［cd／ｍ2］であった場合、従来の駆動方法で画像表示したときのディスプレイ面輝度Ｌaは１００［cd／ｍ2］になる。これに対して、上記のように求めた駆動デューティ比及び走査期間にて、走査線数が３２本（ｍ＝３２）の画像表示が行われた場合のディスプレイ面輝度Ｌa′は２００［cd／ｍ2］になるものであり、従って２倍に高輝度化できることになる。
【００２６】
駆動データ生成部１３ｄは、以上のように生成した駆動データ（走査線の駆動デューティ比、走査期間）を駆動回路１２に送信するものであり、この駆動回路１２は、受信した駆動データに従って、ロウドライバ１２ａから走査信号を出力すると共に、カラムドライバ１２ｂから電流信号を出力するものであり、これらの出力によって有機ＥＬパネル１１を駆動する。
【００２７】
このように構成した本実施例によれば、有機ＥＬパネル１１が有するＭ本の走査線群の走査周期において、駆動対象の発光素子が存在しない走査線がある場合には、走査する走査線の数が、通常時のＭ本から、駆動対象の発光素子が存在する走査線数ｍまで減少されることになる。つまり、走査線群の走査周期において駆動対象の発光素子が存在しない走査線が存在する場合には、その発光素子が存在しない走査線についての走査が禁止された状態になるものであり、これにより、１走査周期当たりの走査線数を低減させて駆動対象の発光素子が存在する走査線についての走査期間を相対的に引き延ばす制御が行われる。従って、このような制御が行われた状態時において走査される走査線については、その駆動デューティ比が大きくなるものであり、これにより瞬間発光輝度及び印加電流を上げることなく駆動対象の発光素子の高輝度化を実現できる。
【００２８】
ここで、図２には、従来の駆動方法と本実施例の駆動方法との相違を分かり易くするために、有機ＥＬパネル１１に表示する画像例（従来：（ａ）、本実施例：（ｄ））、各走査期間での発光素子の瞬間発光輝度（従来：（ｂ）、本実施例（ｅ））、駆動電流Ｉのレベル（従来：（ｃ）、本実施例：（ｆ））を模式的に示した。
この図２において、Ｍ本の走査線を有する有機ＥＬパネル１１において（ａ）、（ｄ）に示すような形象Ｃ（駆動対象の発光素子を含む走査線数がｍ本）を表示する場合、従来では、駆動対象発光素子が存在しない走査線（形象Ｃと対応しない（Ｍ−ｍ）本の走査線）についても走査するため、１走査周期においてＭ本の走査線を走査することになる。従って、各走査線の走査期間Ｔが（ｂ）に示すように相対的に短くなり、走査線の駆動デューティ比は１／Ｍになる。
【００２９】
この結果、従来の駆動方法において、例えば波頭の煌きや宝石の輝きなどを表示しようとする場合、つまり、表示画面の一部のみを高輝度で発光させようとする場合には、標準的な駆動電流Ｉに比べて高いレベルの電流を供給する必要が出てくるため、「発明が解決しようとする課題」の項で述べたような問題点（回路部品のコストアップ、発光素子の輝度低下の促進などといった問題点）が出てくる。
【００３０】
これに対して、本実施例による駆動方法では、１走査周期当たりの走査線数がｍ本に低減されるため、それらの走査線の走査期間Ｔ′（＝Ｔ×（Ｍ／ｍ）[秒]）が（ｅ）に示すように従来方法に比べて長くなり、走査線の駆動デューティ比は１／ｍに増大されることになる。この結果、標準的な駆動電流Ｉを供給するだけで、各発光素子の走査時の発光輝度を相対的に高くすることができ、表示画面の一部のみを高輝度で発光させようとする場合でも上記のような問題点を招く恐れがなくなる。
【００３１】
（第２の実施の形態）
図３及び図４には本発明の第２実施例が示されており、以下これについて前記第１実施例と異なる部分のみ説明する。
全体の電気的構成を機能ブロックの組み合わせにより示す図３において、この実施例では、第１実施例における制御回路１３に代えて、制御回路１５（制御手段に相当）を設けている。この制御回路１５内の画像データ受信部１５ａは、外部装置から送られてきた画像データ（Ｍ行×Ｎ列、Ｋ階調）を受信し、画像メモリ１５ｂに格納する。駆動データ生成部１５ｃは、外部から指定された表示モードに従い画像メモリ１５ｂから画像データを読み出して駆動データを生成し、その駆動データを駆動回路１２に与える。尚、表示モードの指定は、特に外部から行う必要はなく、画像メモリ１５ｂに格納された画像データの行及び列数に基づいて自動判定することも可能である。
【００３２】
ここで、上記表示モードとしては、有機ＥＬパネル１１の全部の走査線を走査して全画面表示を行う「低輝度フル画面モード」（本発明でいう通常表示モードに相当）と、特定の走査線群のみを走査して所定範囲のサブ表示領域を使用した画面表示を行う「高輝度サブ画面モード」（本発明でいう部分表示モードに相当）とが設定されている。
駆動データ生成部１５ｃは、表示モードが低輝度フル画面モードの場合には、画像メモリ１５ｂから、１フレーム分の全画像データ（Ｍ行×Ｎ列、Ｋ階調）を順次読み出す。また、駆動データ生成部１５ｃは、表示モードが高輝度サブ画面モードの場合には、画像メモリ１５ｂから特定の走査線群に対応した画像データ（ｍ行×Ｎ列、Ｋ階調）を読み出す。尚、ｍ＜Ｍである。ここで、低輝度フル画面モードの場合の各走査線の走査期間をＴ［秒］とし、高輝度サブ画面モードの場合の各走査線の走査期間をＴ′［秒］とすると、
Ｔ′＝Ｔ×（Ｍ／ｍ）、Ｔ′＞Ｔ
の関係が成り立つ。
【００３３】
駆動データ生成部１５ｃは、読み出した画像データに基づいて以下のような条件の駆動データを生成する。つまり、低輝度フル画面モードの場合における走査線走査時の各発光素子の最大瞬間発光輝度をＬ［cd／ｍ2］とした場合、高輝度サブ画面モードの場合における走査線走査時の各発光素子の最大瞬間発光輝度もＬ［cd／ｍ2］に設定する。また、低輝度フル画面モードの場合における走査線走査時の各発光素子の最大駆動電流をＩ［Ａ］とした場合、高輝度サブ画面モードの場合における走査線走査時の各発光素子の最大駆動電流も同じくＩ［Ａ］に設定する。このような駆動データを受信した駆動回路１２は、その駆動データに従って、ロウドライバ１２ａから走査信号を出力すると共に、カラムドライバ１２ｂから電流信号を出力する。
【００３４】
このように構成した本実施例によれば、低輝度フル画面モード時のディスプレイ面輝度Ｌｆは、Ｌ／Ｍ［cd／ｍ2］、高輝度サブ画面モード時のディスプレイ面輝度Ｌｓは、Ｌ／ｍ［cd／ｍ2］となるから、Ｌｆ＜Ｌｓの関係が成立し、従って、高輝度サブ画面モード時には部分的であるが高輝度発光を実現できることになる。
ここで、図４には、表示モードを２種類設定した本実施例の駆動方法について説明するために、有機ＥＬパネル１１に表示する画面例（低輝度フル画面モード：（ａ）、高輝度サブ画面モード：（ｄ））、各走査期間での発光素子の瞬間発光輝度（低輝度フル画面モード：（ｂ）、高輝度サブ画面モード（ｅ））、駆動電流のレベル（低輝度フル画面モード：（ｃ）、高輝度サブ画面モード：（ｆ））を模式的に示した。
【００３５】
この図４において、高輝度サブ画面モード時には、ｍ本の走査線の各走査期間Ｔ′が引き延ばされることになるため、低輝度フル画面モードと同様の駆動電流Ｉでも高発光輝度が得られることが分かる。
【００３６】
（第３の実施の形態）
図５ないし図７には本発明の第３実施例が示されており、以下これについて前記第１及び第２実施例と異なる部分のみ説明する。
図５には、第２実施例における有機ＥＬパネル１１、駆動回路１２、電源回路１４及び制御回路１５をモジュール化して成る有機ＥＬパネル駆動装置と、外部装置としての画像データ生成モジュール１６（データ変換手段に相当）とを組み合わせた表示システムの電気的構成が機能ブロックの組み合わせにより示されている。この図５において、画像データ生成モジュール１６は、例えばパソコンによっても構成できるものであり、表示画像の階調レベルデータを含む画像データ入力を入力インタフェース１７を通じて受けて画像メモリ１８に格納すると共に、その格納データを画像データ変換部１９によって有機ＥＬパネル１１用の画像データ（Ｍ行×Ｎ列、Ｋ階調）に変換した後に制御回路１５内の画像データ受信部１５ａに与える構成となっている。
【００３７】
ここで、制御回路１５に与えられた上記画像データに基づいて有機ＥＬパネル１１での画像表示を行う際において、走査線走査時の印加電流を最大値（フル階調時）としたときの発光素子の瞬間発光輝度をＬ［cd／ｍ2］とした場合、従来の駆動方法では、走査デューティは１／Ｍとなり、ディスプレイ面輝度の最大値はＬ／Ｍ［cd／ｍ2］で表される。このときの走査期間はＴ［秒］で固定であり、１フレーム期間はＴ×Ｍ［秒］となる。
【００３８】
第ｍ走査線の各画素における階調レベルの最大値をｋm（ｍ＝１〜Ｍ）とした場合、最大階調レベルに対応する発光素子の面輝度Ｌmは、次式（１）で表される。
【数１】
0004635431.tif 000002
【００３９】
本実施例では、第ｍ走査線の走査期間を、ｋmに比例したＴ′［秒］となるように制御することに特徴を有する。但し、１フレーム期間は従来方法と同じＴ×Ｍ［秒］である。
即ち、第ｍ走査線の走査期間Ｔm′は、次式（２）で定める値となる。
【数２】
0004635431.tif 000003
【００４０】
ちなみに、この（１）式において、ｋm＝０のときには、Ｔm′＝０となる。つまり、第ｍ番目の走査線上の全部の発光素子の階調レベルが零のとき、換言すれば当該全部の発光素子がクロ表示のときには、その走査線は走査されない。
【００４１】
また、第ｍ走査線の最大階調レベルに対応する発光素子の面輝度Ｌm′は、次式（３）で表される。
【数３】
0004635431.tif 000004
【００４２】
ここで、式（１）と式（３）とを比較すると、ｋ1＝ｋ2＝ｋ3……＝ｋM＝Ｋ、つまり、全走査線の最大階調レベルがＫのときに限り、Ｌm′＝Ｌmとなり、これ以外の時は常にＬm′＞Ｌmとなることが分かる。従って、ほとんどの場合において高輝度化を実現できることになる。このときの高輝度化の倍率ηは、ｍに依存しないものであり、次式（４）で得られる。
【数４】
0004635431.tif 000005
【００４３】
上記のような高輝度化について、これを具体的な数値例で説明すると以下のようになる。
例えば、有機ＥＬパネル１１の画像サイズＭ×Ｎ＝６４行×１２８列とし、その階調表示能力をＫ＝６４階調とする。また、表示画像の各走査線の最大階調レベルｋm（ｍ＝１〜６４）は、始めの３２本（これによる表示領域をＡとする）がフル階調の１／４であるｋm＝１６（ｍ＝１〜３２）、続く１６本（これによる表示領域をＢとする）がフル階調の１／２であるｋm＝３２（ｍ＝３３〜４８）、残りの１６本（これによる表示領域をＣとする）がフル階調であるｋm＝６４（ｍ＝４９〜６４）とする。
【００４４】
各表示領域Ａ、Ｂ、Ｃにおける第ｍ走査線の走査期間Ｔm′を式（２）に従って計算すれば、
表示領域Ａ：Ｔm′＝１／２Ｔ（ｍ＝１〜３２）
表示領域Ｂ：Ｔm′＝Ｔ（ｍ＝３３〜４８）
表示領域Ｃ：Ｔm′＝２Ｔ（ｍ＝４９〜６４）
となる。また、各表示領域Ａ、Ｂ、Ｃにおける第ｍ走査線の最大階調レベルに対応する発光素子の面輝度Ｌm′を式（３）に従って計算すれば、
表示領域Ａ：Ｌm′＝Ｌ／１２８（ｍ＝１〜３２）
表示領域Ｂ：Ｌm′＝Ｌ／６４（ｍ＝３３〜４８）
表示領域Ｃ：Ｌm′＝Ｌ／３２（ｍ＝４９〜６４）
となる。つまり、従来の駆動方法では表示領域Ｂに対応した面輝度（Ｌ／６４）しか得られないが、本実施例の駆動方法によれば、表示領域Ｃにおいて従来の駆動方法の２倍まで高輝度化が可能になる。
【００４５】
ここで、図６には、従来の駆動方法と本実施例の駆動方法との相違を分かり易くするために、有機ＥＬパネル１１の表示領域の分割例（従来：（ａ）、本実施例：（ｄ））、各走査期間での発光素子の瞬間発光輝度（従来：（ｂ）、本実施例（ｅ））、駆動電流のレベル（従来：（ｃ）、本実施例：（ｆ））を模式的に示した。この図６において、本実施例での走査線の走査期間Ｔm′は、上記の計算の通り、表示領域Ａ：Ｔm′＝１／２Ｔ（ｍ＝１〜３２）、表示領域Ｂ：Ｔm′＝Ｔ（ｍ＝３３〜４８）、表示領域Ｃ：Ｔm′＝２Ｔ（ｍ＝４９〜６４）となっていることが分かる。また、瞬間発光輝度×走査期間で得られる各表示領域Ａ、Ｂ、Ｃの面輝度は、従来の駆動方法の場合、それぞれＬ／２５６、Ｌ／１２８、Ｌ／６４になるのに対して、本実施例の駆動方法によれば、それぞれＬ／１２８、Ｌ／６４、Ｌ／３２になるものであり、面輝度が各表示領域Ａ、Ｂ、Ｃで２倍になっていることが分かる。
【００４６】
尚、図５に示した画像データ生成モジュール１６は、上述した例のような画像データを制御回路１５に与える場合には、以下に述べるような画像データ変換動作を行うことになる。即ち、画像データ生成モジュール１６の画像メモリ１８に格納された画像データ、つまり元データは、表示画像の各走査線の最大階調レベルｋmを、始めの３２本（表示領域Ａに対応）がフル階調の１／４であるｋm＝１６（ｍ＝１〜３２）、続く１６本（表示領域Ｂに対応）がフル階調の１／２であるｋm＝３２（ｍ＝３３〜４８）、残りの１６本（表示領域Ｃに対応）がフル階調であるｋm＝６４（ｍ＝４９〜６４）としたデータである。この元データは、図７に示すような構成となる。このような元データは、上述したような２倍の高輝度発光を実現するために、次のようにデータ変換される。即ち、図７に示すように、表示領域Ａ、Ｂ、Ｃに対応した元データ毎にそれぞれに応じた走査期間情報（１／２Ｔ、Ｔ、２Ｔ）を付加すると共に、各発光素子の階調レベルを表示領域Ａ、Ｂ、Ｃに対応した元データ毎にそれぞれに設定された倍率（４倍、２倍、１倍）に変換する。このような画像データ生成モジュール１６が備えられた結果、制御回路１５側の仕様変更などが不要になるという利点が出てくる。
【００４７】
（他の実施の形態）
その他、本発明は上記した実施例に限定されるものではなく、以下に述べるような変形或いは拡張が可能である。
Ｍ行×Ｎ列、オン／オフ階調の画像データを取り扱う場合には、有機ＥＬパネル１１の陽極線群及び陰極線群のうち、少なくとも一つの発光素子が発光する線の数が少ない方を走査線とすると共に他方を信号線とすることにより、当該走査線の走査期間を相対的に引き延ばす制御を行うことも可能である。
具体的には、１走査周期分（１フレーム分）の画像データにおけるＭ本の走査線毎に、
〈１〉  走査線上の発光素子の何れか１個以上がオン（発光）されるか、
〈２〉  走査線上の発光素子はすべてオフ（非発光）であるか、
のいずれであるかを判定し、〈１〉と判定した走査線の数ｍ（≦Ｍ）を求める。次いで、１走査周期分の画像データにおけるＮ本の信号線毎に、
〈３〉  信号線上の発光素子の何れか１個以上がオン（発光）されるか、
〈４〉  信号線上の発光素子はすべてオフ（非発光）であるか、
のいずれであるかを判定し、〈３〉と判定した走査線の数ｎ（≦Ｎ）を求める。
【００４８】
ここで、ｍ≦ｎの場合には、前記第１実施例と同様の方法の計算により走査線の駆動デューティ比、走査期間を求め、このように求めた駆動データに従って有機ＥＬパネル１１を駆動する。この場合、ｍ＜Ｍであれば、走査期間が従来の駆動方法より引き延ばされることになり、以て高輝度化を実現できる。
また、上記とは逆に、ｍ＞ｎの場合には、それまで信号線とされていた陽極線を走査し、走査線とされていた陰極線に信号電流を印加する。さらに、新たな走査線（ｎ本）に対して第１実施例と同様の方法の計算により走査線の駆動デューティ比、走査期間を求め、このように求めた駆動データに従って有機ＥＬパネル１１を駆動する。この場合にはｍ＞ｎの関係にあるから、ｎ本の走査線の１走査期間が、第１実施例のようにｍ本の走査線を走査する場合より一段と引き延ばされることになり、さらなる高輝度化を実現できる。
【００４９】
複数のフレーム画像データから成る動画像データを取り扱う場合には、以下に述べるような駆動方式を採用すれば、各フレーム間で輝度がばらつくといった事態を未然に防止できる。即ち、全部のフレーム画像または連続した所定数のフレーム画像について、前記式（４）に従って高輝度化の倍率ηpを求める。次いで、各フレーム画像についての高輝度化倍率ηpの最小値ｍｉｎηpを求め、これを動画像の高輝度倍率として設定し、表示対象となる動画像データについて、この設定高輝度倍率となるように各フレーム画像の走査線走査期間と階調レベルとを計算し、その計算結果に基づいて動画像データの表示制御を行う。
【００５０】
単純マトリクス型表示装置の例として、有機ＥＬパネル１１を例に挙げたが、発光素子として発光ダイオードを使用した表示パネルなど、その他の自己発光タイプの単純マトリクス型表示装置に広く適用できるものである。
【図面の簡単な説明】
【００５１】
【図１】本発明の第１実施例を示す電気的構成の機能ブロック図
【図２】動作説明図
【図３】本発明の第２実施例を示す図１相当図
【図４】図２相当図
【図５】本発明の第３実施例を示す図１相当図
【図６】図２相当図
【図７】画像データの変換例を説明するための模式図
【図８】従来例の駆動方法を説明するための等価的回路構成図
【符号の説明】
【００５２】
１１は有機ＥＬパネル（単純マトリクス型表示装置）、１２は駆動回路、１３、１５は制御回路（制御手段）、１６は画像データ生成モジュール（データ変換手段）、１９は画像データ変換部を示す。
【図１】
0004635431.tif 000006
【図２】
0004635431.tif 000007
【図３】
0004635431.tif 000008
【図４】
0004635431.tif 000009
【図５】
0004635431.tif 000010
【図６】
0004635431.tif 000011
【図７】
0004635431.tif 000012
【図８】
0004635431.tif 000013